(57)【要約】【課題】  データベースに登録されている観光客の属性情報が少ない場合にも、観光ルートを提案可能な観光ルート提案装置および提案方法を提供する。【解決手段】  本発明の観光ルート提案装置は、観光客の位置情報および観光客の属性情報を取得する取得部と、前記観光客の属性情報と観光地の属性情報とを照合し、前記観光客に適した候補地を抽出する抽出部と、前記観光客の位置情報および前記候補地に基づき、候補観光ルートを作成する作成部と、前記候補観光ルートを前記観光客に出力する出力部とを含み、前記観光地の属性情報は、観光地の情報に、前記観光地を訪問した訪問客の属性情報が関連付けられた情報であることを特徴とする。【選択図】図１
2019175378.tif 000002
【特許請求の範囲】
【請求項１】
観光客の位置情報および観光客の属性情報を取得する取得部と、
前記観光客の属性情報と観光地の属性情報とを照合し、前記観光客に適した候補地を抽出する抽出部と、
前記観光客の位置情報および前記候補地に基づき、候補観光ルートを作成する作成部と、
前記候補観光ルートを前記観光客に出力する出力部とを含み、
前記観光地の属性情報は、観光地の情報に、前記観光地を訪問した訪問客の属性情報が関連付けられた情報であることを特徴とする、観光ルート提案装置。
【請求項２】
前記観光地の属性情報は、前記観光地と関連するキーワードと関連付けられ、
前記取得部により、前記観光客に入力されたキーワード情報が取得され、
前記キーワード情報と前記キーワードとを照合し、前記候補地から前記キーワード情報に適合する候補地を抽出するキーワード候補地抽出部を含み、
前記作成部により、前記観光客の位置情報および前記キーワード情報に適合する候補地に基づき、候補観光ルートが作成される、請求項１記載の観光ルート提案装置。
【請求項３】
前記観光客のソーシャルネットワーキングサービス（ＳＮＳ）の情報を取得するＳＮＳ情報取得部と、
前記ＳＮＳ情報から前記観光客の嗜好情報を抽出し、前記嗜好情報に基づき、前記候補地から選抜候補地を選抜する候補地選抜部とを含み、
前記作成部により、前記観光客の位置情報および前記選抜候補地に基づき、候補観光ルートが作成される、請求項１または２記載の観光ルート提案装置。
【請求項４】
ソーシャルネットワーキングサービス（ＳＮＳ）において話題の情報を取得する話題情報取得部と、
前記話題情報に基づき、前記候補地から話題の候補地を選抜する話題候補地選抜部とを含み、
前記作成部により、前記観光客の位置情報および前記話題の候補地に基づき、候補観光ルートが作成される、請求項１から３のいずれか一項に記載の観光ルート提案装置。
【請求項５】
前記観光地の属性情報は、前記観光地を訪問した訪問客の属性情報が集計された情報である、請求項１から４のいずれか一項に記載の観光ルート提案装置。
【請求項６】
前記観光地を訪問した訪問客の属性情報から、前記観光地の属性情報を算出する算出部を含む、請求項１から５のいずれか一項に記載の観光ルート提案装置。
【請求項７】
前記取得部により、前記観光客の希望所要時間が取得され、
前記作成部により、前記観光客の位置情報、前記候補地、および前記希望所要時間に基づき、前記候補観光ルートが作成される、請求項１から６のいずれか一項に記載の観光ルート提案装置。
【請求項８】
前記観光ルート提案装置は、サーバである、請求項１から７のいずれか一項に記載の観光ルート提案装置。
【請求項９】
観光客の位置情報および観光客の属性情報を取得する取得工程と、
前記観光客の属性情報と観光地の属性情報とを照合し、前記観光客に適した候補地を抽出する抽出工程と、
前記観光客の位置情報および前記候補地に基づき、候補観光ルートを作成する作成工程と、
前記候補観光ルートを前記観光客に出力する出力工程とを含み、
前記観光地の属性情報は、観光地の情報に、前記観光地を訪問した訪問客の属性情報が関連付けられた情報であることを特徴とする、観光ルート提案方法。
【請求項１０】
観光客の位置情報および観光客の属性情報を取得する取得処理と、
前記観光客の属性情報と観光地の属性情報とを照合し、前記観光客に適した候補地を抽出する抽出処理と、
前記観光客の位置情報および前記候補地に基づき、候補観光ルートを作成する作成処理と、
前記候補観光ルートを前記観光客に出力する出力処理とを、コンピュータ上で実行可能であり、
前記観光地の属性情報は、観光地の情報に、前記観光地を訪問した訪問客の属性情報が関連付けられた情報であることを特徴とする、プログラム。
【発明の詳細な説明】
【技術分野】
【０００１】
本発明は、観光ルート提案装置、観光ルート提案方法、およびプログラムに関する。
【背景技術】
【０００２】
外国人観光客の増加に伴い、観光客の訪問地に関する訪問地情報、体験情報、購買情報、飲食（食事）情報等の情報を分析し、外国人観光客が好む場所、周遊ルート等を可視化することが試みられている。
【発明の概要】
【発明が解決しようとする課題】
【０００３】
観光客の情報が記憶されたデータベースを活用して観光ルート等を提案する場合、対象の観光客の属性情報（例えば、居住国、年齢、性別等）が、前記データベースに登録された観光客の属性情報（例えば、図１９）と比較される。そして、前記データベースに登録された観光客のうち、前記対象の観光客と同一または類似の属性情報を有する観光客が、抽出される。そして、抽出された観光客の訪問した訪問地に基づき、観光ルートを提案する。
【０００４】
しかしながら、外国人観光客を対象の観光客とする場合、データベース上に登録されている外国人観光客の属性情報が少ないため、対象の観光客と同一または類似の属性情報を有する観光客が少ない。すなわち、対象の外国人観光客の属性情報が、データベース上の観光客の属性情報と合致する可能性が低い。このため、外国人観光客の属性情報を用いた際に、抽出できる観光地の候補地が少なく、提案する観光ルートが少ないまたはないという問題が生じた。
【０００５】
そこで、本発明は、データベースに登録されている観光客の属性情報が少ない場合にも、観光ルートを提案可能な観光ルート提案装置および提案方法を提供する。
【課題を解決するための手段】
【０００６】
前記目的を達成するために、本発明の観光ルート提案装置（以下、「提案装置」ともいう）は、観光客の位置情報および観光客の属性情報を取得する取得部と、
前記観光客の属性情報と観光地の属性情報とを照合し、前記観光客に適した候補地を抽出する抽出部と、
前記観光客の位置情報および前記候補地に基づき、候補観光ルートを作成する作成部と、
前記候補観光ルートを前記観光客に出力する出力部とを含み、
前記観光地の属性情報は、観光地の情報に、前記観光地を訪問した訪問客の属性情報が関連付けられた情報であることを特徴とする。
【０００７】
本発明の観光ルート提案方法（以下、「提案方法」ともいう）は、観光客の位置情報および観光客の属性情報を取得する取得工程と、
前記観光客の属性情報と観光地の属性情報とを照合し、前記観光客に適した候補地を抽出する抽出工程と、
前記観光客の位置情報および前記候補地に基づき、候補観光ルートを作成する作成工程と、
前記候補観光ルートを前記観光客に出力する出力工程とを含み、
前記観光地の属性情報は、観光地の情報に、前記観光地を訪問した訪問客の属性情報が関連付けられた情報であることを特徴とする。
【０００８】
本発明のプログラムは、観光客の位置情報および観光客の属性情報を取得する取得処理と、
前記観光客の属性情報と観光地の属性情報とを照合し、前記観光客に適した候補地を抽出する抽出処理と、
前記観光客の位置情報および前記候補地に基づき、候補観光ルートを作成する作成処理と、
前記候補観光ルートを前記観光客に出力する出力処理とを、コンピュータ上で実行可能であり、
前記観光地の属性情報は、観光地の情報に、前記観光地を訪問した訪問客の属性情報が関連付けられた情報であることを特徴とする。
【発明の効果】
【０００９】
本発明によれば、データベースに登録されている観光客の属性情報が少ない場合にも、観光ルートを提案できる。
【図面の簡単な説明】
【００１０】
【図１】図１は、実施形態１の提案装置の一例を示すブロック図である。
【図２】図２は、実施形態１の提案装置のハードウェア構成の一例を示すブロック図である。
【図３】図３は、実施形態１の提案方法およびプログラムの一例を示すフローチャートである。
【図４】図４は、実施形態１の提案装置における観光地の属性情報の一例を示す模式図である。
【図５】図５は、実施形態２の提案装置を示すブロック図である。
【図６】図６は、実施形態２の提案方法およびプログラムを示すフローチャートである。
【図７】図７は、実施形態２の提案装置の他の例を示すブロック図である。
【図８】図８は、実施形態２の提案方法およびプログラムの他の例を示すフローチャートである。
【図９】図９は、実施形態３の提案装置を示すブロック図である。
【図１０】図１０は、実施形態３の提案方法およびプログラムを示すフローチャートである。
【図１１】図１１は、実施形態３の提案装置の他の例を示すブロック図である。
【図１２】図１２は、実施形態３の提案方法およびプログラムの他の例を示すフローチャートである。
【図１３】図１３は、実施形態４の提案装置を示すブロック図である。
【図１４】図１４は、実施形態４の提案方法およびプログラムを示すフローチャートである。
【図１５】図１５は、実施形態４の提案装置の他の例を示すブロック図である。
【図１６】図１６は、実施形態４の提案方法およびプログラムの他の例を示すフローチャートである。
【図１７】図１７は、実施形態５の提案装置を示すブロック図である。
【図１８】図１８は、実施形態５の提案方法およびプログラムを示すフローチャートである。
【図１９】図１９は、実施形態５の提案装置における訪問客の属性情報の一例を示す模式図である。
【図２０】図２０は、実施形態７の提案システムを示す模式図である。
【発明を実施するための形態】
【００１１】
本発明の実施形態について説明する。なお、本発明は、下記の実施形態によって何ら限定および制限されない。なお、以下の図１〜図２０において、同一部分には、同一符号を付している。また、各実施形態の説明は、特に言及がない限り、互いの説明を援用できる。さらに、各実施形態の構成は、特に言及がない限り、組合せ可能である。
【００１２】
［実施形態１］
実施形態１は、本発明の提案装置および提案方法に関する。
【００１３】
図１に、本実施形態における提案装置のブロック図を示す。図１に示すように、本実施形態の提案装置１０は、取得部１１１、抽出部１１２、作成部１１３、出力部１１４、および観光地属性情報記憶部１２１を有する。提案装置１０は、例えば、後述のようにサーバとして使用できる。このため、提案装置１０は、例えば、提案システムということもできる。
【００１４】
提案装置１０は、例えば、前記各部を含む１つの提案装置でもよいし、前記各部が、通信回線網を介して接続可能な提案装置でもよい。前記通信回線網は、特に制限されず、公知のネットワークを使用でき、例えば、有線でも無線でもよい。前記通信回線網は、例えば、インターネット回線、電話回線、ＬＡＮ（Local Area Network）、ＷｉＦｉ（Wireless Fidelity）等があげられる。
【００１５】
図２に、提案装置１０のハードウェア構成の一例を示すブロック図を例示する。提案装置１０は、例えば、ＣＰＵ（中央処理装置）１１、記憶装置１３、メモリ１４、入出力（input-output、Ｉ／Ｏ）インターフェース１５、および通信デバイス１６を有する。前記ハードウェア構成において、通信デバイス１６以外の内部での回路間の通信は、バス１７によって接続される。
【００１６】
ＣＰＵ１１（Central Processing Unit）は、例えば、コントローラ（システムコントローラ、Ｉ／Ｏコントローラ等）等により、他の構成と連携動作し、提案装置１０の全体を制御する。提案装置１０において、ＣＰＵ１１は、例えば、本発明のプログラム１２０やその他のプログラムを実行し、また、各種情報の読み込みや書き込みを行う。具体的に、提案装置１０において、ＣＰＵ１１は、例えば、取得部１１１、抽出部１１２、作成部１１３、および出力部１１４として機能する。提案装置１０は、演算装置として、ＣＰＵを備えるが、ＧＰＵ（Graphics Processing Unit）、ＡＰＵ（Accelerated Processing Unit）等の他の演算装置を備えてもよい。なお、ＣＰＵ１１は、例えば、後述する実施形態２〜５における記憶部以外の各部として機能する。
【００１７】
メモリ１４は、例えば、メインメモリを含む。前記メインメモリは、主記憶装置ともいう。ＣＰＵ１１が処理を行う場合、後述する記憶装置１３（補助記憶装置）に記憶されている、本発明のプログラム等の種々の動作プログラム１２０は、例えば、メモリ１４に読み込まれる。そして、ＣＰＵ１１は、例えば、メモリ１４からデータを読み出し、解読し、前記プログラムを実行する。前記メインメモリは、例えば、ＲＡＭ（ランダムアクセスメモリ）である。メモリ１４は、例えば、さらに、ＲＯＭ（読み出し専用メモリ）を含む。
【００１８】
記憶装置１３は、例えば、前記メインメモリ（主記憶装置）に対して、いわゆる補助記憶装置ともいう。記憶装置１３は、例えば、記憶媒体と、前記記憶媒体に読み書きするドライブとを含む。前記記憶媒体は、特に制限されず、例えば、内蔵型でも外付け型でもよく、ＨＤ（ハードディスク）、ＦＤ（フロッピー（登録商標）ディスク）、ＣＤ−ＲＯＭ、ＣＤ−Ｒ、ＣＤ−ＲＷ、ＭＯ、ＤＶＤ、光ディスク、フラッシュメモリー、メモリーカード等があげられ、前記ドライブは、特に制限されない。記憶装置１３は、例えば、記憶媒体とドライブとが一体化されたハードディスクドライブ（ＨＤＤ）も例示できる。記憶装置１３は、例えば、本発明のプログラム等の動作プログラムが格納され、また、記憶装置１３が、記憶部１２（観光地属性情報記憶部１２１）であり、例えば、観光地の属性情報等の各情報を格納する。
【００１９】
Ｉ／Ｏインターフェース１５は、例えば、外部または内部の入出力機器との間のデータ授受を行うインターフェースである。すなわち、Ｉ／Ｏインターフェース１５は、例えば、内部または外部の機器と接続可能なインターフェースである。提案装置１０は、Ｉ／Ｏインターフェース１５に接続された通信デバイス１６により、前記通信回線網と接続でき、前記通信回線網を介して、前記外部機器と接続することもできる。提案装置１０がタッチパネル、トラックパッド、マウス等のポインティングデバイス、キーボード等の入力装置、ＬＥＤディスプレイ、液晶ディスプレイ等のモニター等の表示装置等の他の装置を有する場合、他の装置は、Ｉ／Ｏインターフェース１５と接続する。
【００２０】
バス１７は、例えば、前述したＣＰＵ１１、メモリ１４等のそれぞれの機能部間を接続し、機能部間でのデータのやりとりを可能とする。
【００２１】
取得部１１１は、観光客の位置情報および観光客の属性情報を取得する。取得部１１１は、例えば、前述の演算装置があげられる。前記観光客の位置情報は、例えば、前記観光客の現在位置、前記観光客の観光開始希望位置、前記観光客の観光終了希望位置、訪問希望地の位置、ターミナルの位置情報等があげられる。前記観光客の現在位置は、例えば、前記観光客が前記観光客の位置情報を入力している際の場所（位置）である。前記観光客の観光開始希望位置は、例えば、前記観光客が、観光を開始したいと希望する場所（位置）である。前記観光客の観光終了希望位置は、例えば、前記観光客が、観光を終了したいと希望する場所（位置）である。前記訪問希望地の位置は、例えば、前記観光客が訪問を希望する観光地の場所（位置）である。前記ターミナルの位置情報は、例えば、鉄道の駅、バスのバス停、飛行機の空港等の乗降を行なう場所の位置情報である。前記観光客の位置情報は、例えば、１種類または複数種類の情報を含む。前記観光客の位置情報が複数種類の情報を含む場合、前記観光客の位置情報は、例えば、前記観光客の観光開始希望位置および前記観光客の観光終了希望位置を含む。前記観光客の属性情報は、例えば、前記観光客の居住国、年齢、性別、職業、国籍、使用言語、観光客のグループ構成、趣味趣向、食事制限（例えば、ハラル、ベジタリアン等）、身体障害（例えば、車いす、杖等）、宿泊場所等があげられる。前記観光客の属性情報は、例えば、１または複数の項目を含む。
【００２２】
抽出部１１２は、前記観光客の属性情報と観光地の属性情報とを照合し、前記観光客に適した候補地を抽出する。抽出部１１２は、例えば、前述の演算装置があげられる。前記観光地の属性情報は、観光地の情報に、前記観光地を訪問した訪問客の属性情報が関連付けられた情報である。前記観光地の属性情報は、例えば、前記観光地を訪問した訪問客の属性情報が集計された情報が好ましい。前記観光地の属性情報の数は、特に制限されず、任意の数である。前記観光地の属性情報の作成方法は、例えば、後述の実施形態５の説明を援用できる。前記観光地の情報は、例えば、前記観光地の位置を規定する情報を含む。前記観光地の位置を規定する情報は、例えば、前記観光地の経度、緯度等の座標、観光地の一般名称、正式名称、略称、または所在地（例えば、地番、住居表示等）、郵便番号、都道府県名、市区町村名、観光エリア名（地域名）等があげられる。前記観光地の情報は、他の情報を含んでもよい。前記訪問客の属性情報は、例えば、前記訪問客の居住国、年齢、性別、職業、国籍、使用言語、訪問客のグループ構成、趣味趣向、食事制限（例えば、ハラル、ベジタリアン等）、身体障害（例えば、車いす、杖等）、宿泊場所等があげられる。前記候補地は、例えば、前記観光地の属性情報に含まれる観光地を意味する。
【００２３】
作成部１１３は、前記観光客の位置情報および前記候補地に基づき、候補観光ルートを作成する。作成部１１３は、例えば、前述の演算装置があげられる。前記候補観光ルートは、例えば、前記観光客の位置情報に含まれる位置と、１または複数箇所の候補地とをつなぐ経路である。
【００２４】
出力部１１４は、前記候補観光ルートを前記観光客に出力する。出力部１１４は、例えば、前述の演算装置があげられる。
【００２５】
観光地属性情報記憶部１２１は、前記観光地の属性情報を記憶している。本実施形態の提案装置１０は、前記観光地の属性情報を、提案装置１０内の観光地属性情報記憶部１２１に記憶しているが、本発明はこれに限定されない。前記観光地の属性情報は、例えば、装置外のサーバ等に記憶されてもよい。この場合、抽出部１１２は、装置外に記憶された観光地の属性情報を取得して、前記観光客の属性情報と前記観光地の属性情報とを照合してもよいし、前記観光地の属性情報を出力し、前記装置外で照合し、得られた照合結果を取得してもよい。
【００２６】
つぎに、図３に、本実施形態における提案方法のフローチャートを示す。本実施形態の提案方法は、例えば、図１の提案装置１０を用いて、つぎのように実施する。図３に示すように、本実施形態の提案方法は、Ｓ１ステップ（取得）、Ｓ２ステップ（抽出）、Ｓ３ステップ（作成）、およびＳ４ステップ（出力）を含む。
【００２７】
まず、Ｓ１ステップでは、取得部１１１により、前記観光客の位置情報および前記観光客の属性情報を取得する。前記観光客の位置情報および前記観光客の属性情報は、例えば、前記観光客の端末によりテキスト入力され、提案装置１０に出力される。このため、Ｓ１ステップでは、例えば、取得部１１１により、前記観光客の端末により入力され、提案装置１０に出力された前記観光客の位置情報および前記観光客の属性情報を取得する。Ｓ１ステップでは、例えば、前記観光客の位置情報および前記観光客の属性情報を、同時に取得してもよいし、別々に取得してもよい。後者の場合、情報の取得順序は、特に制限されない。Ｓ１ステップにおいて、取得される観光客の位置情報および観光地の属性情報の数は、例えば、それぞれ、１つまたは複数である。前記端末は、例えば、携帯電話、スマートフォン、タブレット端末等の携帯端末、パソコン等があげられる。
【００２８】
Ｓ２ステップでは、抽出部１１２により、前記観光客の属性情報と前記観光地の属性情報とを照合し、前記観光客に適した候補地を抽出する。本実施形態において、前記観光地の属性情報は、観光地属性情報記憶部１２１に記憶されている。このため、Ｓ２ステップにおいて、抽出部１１２は、観光地属性情報記憶部１２１から前記観光地の属性情報を取得する。本実施形態において、前記観光客の属性情報は、例えば、図４に示すように、観光地の情報に、前記観光地を訪問した訪問客の属性情報が関連付けられている。すなわち、前記観光地の属性情報では、例えば、前記観光地毎に、関連付けられた訪問客の属性情報が分類（例えば、項目による多層化）されている。そこで、Ｓ２ステップにおいて、抽出部１１２は、例えば、前記観光客の属性情報と、前記観光地の属性情報における前記観光地を訪問した訪問客の属性情報とを照合することにより、前記観光客に適した候補地として抽出する。第１の具体例として、前記観光客の属性情報が「居住国：アメリカ」および「年齢：２０代」の場合、Ｓ２ステップでは、以下のようにして、前記観光地の属性情報から候補地を抽出する。まず、前記観光地の属性情報について、抽出部１１２は、例えば、前記訪問客の属性情報の居住国の項目（例えば、図４の「居住国  アメリカ、中国、タイ等」）において、アメリカの割合が高い観光地を第１の候補地として抽出する。つぎに、前記第１の候補地として抽出された観光地の属性情報について、抽出部１１２は、例えば、前記居住国の項目内の訪問客の年齢の項目（例えば、図４の「居住国  アメリカ：５０％」における「年齢  ２０代：１３％」等）において、２０代の割合が高い観光地を第２の候補地として、抽出する。さらに、抽出部１１２は、例えば、同様の抽出処理を、前記観光客の属性情報が含む項目の一部または全てに対して実施する。そして、抽出部１１２は、例えば、これにより抽出された観光地を、前記観光客に適した候補地とする。前記観光客の属性情報が含む一部の項目を用いて、前記抽出処理を実施する場合、Ｓ２ステップにおいて、抽出部１１２により抽出処理を実施する項目は、予め設定されていることが好ましい。各段階で抽出する候補地の数は、例えば、任意の数とでき、具体例として、後述のＳ３ステップで作成する候補観光ルートの数および前記候補観光ルートが含む候補地の数に応じて適宜設定できる。各段階で抽出する候補地の数が設定されている場合、Ｓ２ステップにおいて、抽出部１１２は、例えば、各段階で抽出に用いている項目のランキング上位から、最大で、設定された数まで候補地を抽出する。抽出される候補地の数は、１箇所でもよいし、複数箇所でもよいが好ましくは、後者である。抽出される候補地の数は、例えば、前記観光客の希望する所要時間に応じて設定できる。前記候補地の数は、例えば、１〜３０箇所、５〜１５箇所である。前記観光客の希望する所要時間が１日（約８時間）の場合、前記候補地の数は、例えば、１〜３０箇所、１０〜１５箇所である。前記観光客の希望する所要時間が半日（約４時間）の場合、前記候補地の数は、例えば、１〜１４箇所、５〜７箇所である。
【００２９】
第２の具体例として、前記観光客の属性情報が「居住国：アメリカ」および「年齢：２０代」の場合、Ｓ２ステップでは、以下のようにして、前記観光地の属性情報から候補地を抽出する。まず、前記観光地の属性情報の居住国の項目について、抽出部１１２は、例えば、前記訪問客の属性情報の居住国の項目（例えば、図４の「居住国  アメリカ、中国、タイ等」）と照合し、前記観光地の属性情報の居住国の項目の情報と一致する情報があるかを判定する。そして、前記観光地の属性情報の居住国の項目の情報と一致する情報がある場合、抽出部１１２は、照合対象の観光地に対してポイントを付与する。他方、前記観光地の属性情報の居住国の項目の情報と一致する情報がない場合、抽出部１１２は、ポイントを付与しない、または０ポイントを付与する。つぎに、抽出部１１２は、前記観光客の属性情報の他の項目（例えば、「年齢：２０代」）についても前記訪問客の属性情報の対応する項目（例えば、図４の「居住国  アメリカ：５０％」における「年齢  ２０代：１３％」等）と照合し、前記観光地の属性情報の対応する項目の情報と一致する情報があるかを判定する。そして、前記観光地の属性情報の居住国の項目の情報と一致する情報がある場合、抽出部１１２は、照合対象の観光地に対してポイントを付与する。他方、前記観光地の属性情報の居住国の項目の情報と一致する情報がない場合、抽出部１１２は、ポイントを付与しない、または０ポイントを付与する。さらに、抽出部１１２は、例えば、同様の照合および判定処理を、前記観光客の属性情報が含む項目の一部または全てに対して実施する。そして、抽出部１１２は、例えば、前記照合および判定処理後、各観光地に付与されたポイントに基づきランキングし、ランキング上位から、最大で、設定された数まで候補地を抽出する。各項目の情報の照合時に付与するポイントは、例えば、前記情報の占める割合等により調整してもよい。具体例として、観光地Ｐ１において、居住国がアメリカで一致する場合、居住国が中国またはタイで一致する場合と比較して、より大きなポイントを付与してもよい。
【００３０】
Ｓ３ステップでは、作成部１１３により、前記観光客の位置情報および前記候補地に基づき、候補観光ルートを作成する。前記候補観光ルートの作成は、例えば、カーナビゲーションシステム等の経路探索装置と同様に実施できる。具体例として、作成部１１３は、例えば、前記観光客の位置情報における位置と、各候補地の位置と、各位置間の移動時間と、各候補地における滞在時間とを考慮して、最短時間で移動可能なルートを前記候補観光ルートとして作成する。具体例として、Ｓ３ステップにおいて、作成部１１３は、例えば、前記観光客の位置情報における緯度および経度、ならびに各候補地の緯度および経度に基づき、観光の開始位置から距離が近い位置を接続し、さらに、接続されたつぎの位置と距離が近い位置を接続する。そして、作成部１１３は、例えば、同様の接続を繰り返すことにより、前記候補観光ルートを作成できる。作成部１１３は、前記観光客の現在位置に代えて、前記観光客の観光開始希望位置および前記観光客の観光終了希望位置を考慮してもよい。前記候補地が多数の場合、Ｓ３ステップにおいて、作成部１１３は、例えば、前記候補地の一部を抽出（選抜）し、抽出された候補地と、前記観光客の位置情報とを用いて、前記候補観光ルートを作成してもよい。前記候補地の一部を抽出する場合、Ｓ３ステップにおいて、作成部１１３は、例えば、異なる候補地の組合せと、前記観光客の位置情報とを用いて、前記候補観光ルートを複数作成することが好ましい。各候補観光ルートにおいて、候補観光ルートが含む候補地は、重複しないことが好ましい。すなわち、１つの候補観光ルートにおいて、候補地は、重複しないことが好ましい。前記候補観光ルートが含む候補地の数は、例えば、前記観光客の希望する所要時間に応じて設定できる。前記候補観光ルートが含む候補地の数は、１〜３０箇所、５〜１５箇所である。前記観光客の希望する所要時間が１日（約８時間）の場合、前記候補地の数は、例えば、１〜３０箇所、１０〜１５箇所である。前記観光客の希望する所要時間が半日（約４時間）の場合、前記候補地の数は、例えば、１〜１４箇所、５〜７箇所である。前記候補観光ルートの数は、１または複数通りである。前記候補観光ルートの数は、例えば、１〜６通り、１〜３通りである。前記観光客の希望する所要時間が１日（約８時間）の場合、前記候補観光ルートの数は、例えば、１〜３通り、１通りである。前記観光客の希望する所要時間が半日（約４時間）の場合、前記候補観光ルートの数は、例えば、１〜６通り、１〜３通りである。
【００３１】
そして、Ｓ４ステップでは、出力部１１４により、前記候補観光ルートを前記観光客に出力する。前記候補観光ルートの出力先は、例えば、前記観光客の端末であり、より具体的には、前記観光客の位置情報および前記観光客の属性情報を入力した観光客の端末である。Ｓ４ステップにおいて、出力部１１４により出力される候補観光ルートの数は、例えば、１または複数通りであり、好ましくは、複数通りである。そして、本実施形態の提案方法を終了する。出力される候補観光ルートの数は、例えば、１または複数通りであり、好ましくは、後者である。出力される候補観光ルートの数は、例えば、１〜６通り、１〜３通りである。前記観光客の希望する所要時間が１日（約８時間）の場合、出力される候補観光ルートの数は、例えば、１〜３通り、１通りである。前記観光客の希望する所要時間が半日（約４時間）の場合、出力される候補観光ルートの数は、例えば、１〜６通り、１〜３通りである。
【００３２】
以上説明したように、実施形態１の提案装置および提案方法によれば、前記観光客の属性情報と観光地の属性情報とを照合し、前記観光客に適した候補地を抽出する。前記観光地の属性情報は、前述のように、前記観光地の情報に、前記観光地を訪問した訪問客の情報を関連付けたものであるため、対象の観光客と一部の属性情報が一致または類似する情報を有する訪問客の情報も候補地の抽出に利用できる。このため、実施形態１の提案装置および提案方法によれば、対象の観光客の属性情報と、データベースに登録された観光客の属性情報とを比較する場合に比べて、より多くの候補地を抽出できるため、観光ルートを提案できる。なお、これらの効果は、後述する他の実施形態においても同様である。
【００３３】
実施形態１の提案装置および提案方法は、例えば、出力した候補観光ルートにおける候補地および候補観光ルートの少なくとも一方に対する前記観光客の評価を取得してもよい。これにより、本実施形態の提案装置および提案方法は、例えば、前記観光地の属性情報を作成する際に、前記観光客の評価を反映できるため、対象の観光客により適した候補観光ルートを提案できる。この場合、実施形態１の提案装置は、例えば、前記観光客の前記候補観光ルートに対する評価情報を取得する評価情報取得部を有する。また、実施形態１の提案方法は、例えば、前記観光客の前記候補観光ルートに対する評価情報を取得する評価情報取得工程を有する。前記評価情報取得部は、例えば、前述の演算装置があげられる。前記評価情報は、例えば、前記観光客による候補観光ルート全体または一部の評価である。後者の場合、前記評価情報は、例えば、前記候補観光ルートにおける候補地の評価である。
【００３４】
実施形態１の提案装置および提案方法は、例えば、対象の観光客の希望する所要時間を考慮し、候補観光ルートを提案してもよい。これにより、本実施形態の提案装置および提案方法は、例えば、対象の観光客が全ての候補地を観光可能な候補観光ルートを提案できる。この場合、実施形態１の提案装置は、例えば、前記取得部により、前記観光客の希望所要時間が取得され、前記作成部により、前記観光客の位置情報、前記候補地、および前記希望所要時間に基づき、前記候補観光ルートが作成される。また、実施形態１の提案方法は、例えば、前記取得工程では、前記観光客の希望所要時間を取得し、前記作成工程では、前記観光客の位置情報、前記候補地、および前記希望所要時間に基づき、前記候補観光ルートを作成する。前記希望所要時間は、例えば、前記観光客の希望する所要時間である。
【００３５】
実施形態１の提案装置および提案方法は、例えば、前記候補地の天気を考慮し、候補観光ルートを提案してもよい。これにより、本実施形態の提案装置および提案方法は、例えば、天気に応じた候補観光ルートを提案できるため、例えば、特定の天気の際に見ることができる候補地の風情を味わえる候補観光ルート、天気に応じて移動しやすい候補観光ルート等を提案できる。実施形態１の提案装置は、例えば、前記候補地の天気を取得する天気取得部を含み、前記作成部により、前記観光客の位置情報、前記候補地、および前記天気に基づき、前記候補観光ルートが作成される。また、実施形態１の提案方法は、例えば、前記候補地の天気を取得する天気取得工程を含み、前記作成工程では、前記観光客の位置情報、前記候補地、および前記天気に基づき、前記候補観光ルートを作成する。前記候補地の天気は、例えば、気象庁等の公的機関が発表している天気の情報、民間機関が発表している天気の情報等があげられる。
【００３６】
［実施形態２］
実施形態２は、本発明の提案装置および提案方法に関する。実施形態２の提案装置および提案方法は、例えば、実施形態１の提案装置および提案方法の説明を援用できる。
【００３７】
実施形態２の提案装置２０は、図５に示すように、実施形態１の提案装置１０に加え、候補抽出部１１５を含む。
【００３８】
取得部１１１は、前記観光客の位置情報および前記観光客の属性情報に加え、前記観光客に入力されたキーワード情報を取得する。前記キーワード情報は、例えば、前記観光地と関連する情報であり、具体例として、体験情報、自然情報等があげられる。前記自然情報は、例えば、国定公園、国立公園、山、海、川、滝、動植物等の自然に関する情報である。
【００３９】
候補抽出部１１５は、前記キーワード情報と前記キーワードとを照合し、前記候補地から前記キーワード情報に適合する候補地を抽出する。候補抽出部１１５は、例えば、前述の演算装置があげられる。前記キーワードは、例えば、前記観光地の属性情報と関連付けられている、前記観光地に関連する情報、言葉、文章、または文言である。前記キーワードは、例えば、前記キーワード情報における具体例の説明を援用できる。また、前記キーワードは、例えば、前記キーワードの表記ゆれ候補の情報を含むことが好ましい。
【００４０】
作成部１１３は、前記観光客の位置情報および前記キーワード情報に適合する候補地に基づき、候補観光ルートを作成する。
【００４１】
これらの点を除き、実施形態２の提案装置２０は、実施形態１の提案装置１０と同様の構成を有し、その説明を援用できる。
【００４２】
つぎに、図６に、実施形態２における提案方法のフローチャートを示す。実施形態２の提案方法は、例えば、図５の提案装置２０を用いて、つぎのように実施する。図６に示すように、実施形態２の提案方法は、実施形態１の提案方法に加え、Ｓ５ステップ（候補抽出）を含む。
【００４３】
まず、Ｓ１ステップでは、取得部１１１により、前記観光客の位置情報および前記観光客の属性情報に加え、前記観光客に入力されたキーワード情報を取得する。前記観光客の位置情報、前記観光客の属性情報、および前記キーワード情報は、例えば、前記観光客の端末によりテキスト入力され、提案装置１０に出力される。このため、Ｓ１ステップでは、例えば、取得部１１１により、前記観光客の端末により入力され、提案装置１０に出力された前記観光客の位置情報、前記観光客の属性情報、および前記キーワード情報を取得する。Ｓ１ステップでは、例えば、前記観光客の位置情報、前記観光客の属性情報、および前記キーワード情報を、同時に取得してもよいし、別々に取得してもよい。後者の場合、情報の取得順序は、特に制限されない。Ｓ１ステップにおいて、取得される観光客の位置情報、観光客の属性情報、およびキーワード情報の数は、例えば、それぞれ、１つまたは複数である。
【００４４】
つぎに、Ｓ２ステップについて、実施形態１の提案方法と同様にして実施する。
【００４５】
Ｓ５ステップでは、候補抽出部１１５により、前記キーワード情報と前記キーワードとを照合し、前記候補地から前記キーワード情報に適合する候補地を抽出する。前記キーワード情報と前記キーワードとの照合は、例えば、前記キーワード情報と、前記観光地の属性情報が含むキーワードの表記ゆれ候補とを照合し、一致する表記ゆれ候補が存在するか否かを判定することにより実施できる。そして、Ｓ５ステップでは、候補抽出部１１５が、例えば、前記キーワード情報と一致する表記ゆれ候補を含むと判定した場合、照合対象の観光地の属性情報における観光地を、前記キーワード情報に適合する候補地として抽出する。
【００４６】
つぎに、Ｓ３ステップでは、前記候補地に代えて、前記キーワード情報に適合する候補地を用いる以外は、実施形態１の提案方法のＳ３ステップと同様にして実施する。また、Ｓ４ステップについて、実施形態１の提案方法のＳ４ステップと同様にして実施する。そして、実施形態２の提案方法を終了する。
【００４７】
以上説明したように、実施形態２の提案装置および提案方法では、対象の観光客に入力されたキーワード情報に基づき、候補観光ルートに含める候補地を抽出する。このため、前記対象の観光客の希望により適した候補観光ルートを提案できる。
【００４８】
なお、実施形態２の提案装置および提案方法では、前記キーワード情報に適合する候補地から前記候補観光ルートを作成したが、本発明はこれに限定されず、前記候補地と、前記キーワードに適合した候補地とを用いて、前記候補観光ルートを作成してもよい。この場合、前記候補観光ルートにおける観光地の一部は、例えば、前記キーワード情報に適合する候補地であり、残部は、前記候補地である。
【００４９】
実施形態２の提案装置および提案方法では、前記候補観光ルートの作成に用いる候補地の抽出において、前記キーワード情報を用いたが、本発明はこれに限定されず、例えば、前記キーワード情報を、前記候補観光ルートから前記観光客に適した候補観光ルートを抽出するために用いてもよい。
【００５０】
図７に実施形態２の提案装置の他の例を示す。図７に示すように、提案装置３０は、提案装置２０の候補抽出部１１５に代えて、キーワードルート抽出部１１６を含む。
【００５１】
作成部１１３は、前記観光客の位置情報および抽出部１１２により抽出された候補地に基づき、候補観光ルートを作成する。
【００５２】
キーワードルート抽出部１１６は、前記キーワード情報と、前記候補観光ルートに含まれる候補地のキーワードとを照合し、前記候補観光ルートから前記キーワード情報に適合する抽出候補観光ルートを抽出する。キーワードルート抽出部１１６は、例えば、前述の演算装置があげられる。前記候補地のキーワードは、前記候補地と対応する前記観光地の属性情報に関連付けられたキーワードを意味する。前記候補地のキーワードは、例えば、前記候補地のキーワードの表記ゆれ候補の情報を含むことが好ましい。
【００５３】
出力部１１４は、前記候補観光ルートに代えて、前記抽出候補観光ルートを前記観光客に出力する。
【００５４】
これらの点を除き、実施形態２の他の例の提案装置３０は、実施形態２の提案装置２０と同様の構成を有し、その説明を援用できる。
【００５５】
つぎに、図８に、実施形態２における他の例の提案方法のフローチャートを示す。実施形態２の他の例の提案方法は、例えば、図７の提案装置３０を用いて、つぎのように実施する。図８に示すように、実施形態２の他の例の提案方法は、実施形態２の提案方法のＳ５ステップ（候補抽出）に代えて、Ｓ６ステップ（キーワードルート抽出）を含む。
【００５６】
まず、Ｓ１〜Ｓ３ステップについて、実施形態１の提案方法のＳ１〜Ｓ３ステップと同様にして実施する。
【００５７】
Ｓ６ステップでは、キーワードルート抽出部１１６により、前記キーワード情報と、前記候補観光ルートに含まれる候補地のキーワードとを照合し、前記候補観光ルートから前記キーワード情報に適合する抽出候補観光ルートを抽出する。前記キーワード情報と前記候補地のキーワードとの照合は、例えば、前記キーワード情報と、照合対象の候補観光ルートにおける候補地のキーワードの表記ゆれ候補とを照合し、一致する表記ゆれ候補が存在するか否かを判定することにより実施できる。そして、Ｓ６ステップにおいて、キーワードルート抽出部１１６は、例えば、前記キーワード情報と一致する表記ゆれ候補を含むと判定した場合、照合対象の候補観光ルートを、前記抽出候補観光ルートとして抽出する。
【００５８】
そして、Ｓ４ステップでは、出力部１１４により、前記抽出候補観光ルートが前記観光客に出力される。そして、他の例の提案方法を終了する。
【００５９】
以上説明したように、実施形態２の他の例の提案装置および提案方法では、対象の観光客に入力されたキーワード情報に基づき、候補観光ルートから抽出候補観光ルートを抽出し、これを対象の観光客に出力する。このため、実施形態２の他の例の提案装置および提案方法によれば、前記対象の観光客の希望により適した候補観光ルートを提案できる。
【００６０】
［実施形態３］
実施形態３は、本発明の提案装置および提案方法に関する。実施形態３の提案装置および提案方法は、例えば、実施形態１〜２の提案装置および提案方法の説明を援用できる。
【００６１】
実施形態３の提案装置４０は、図９に示すように、実施形態１の提案装置１０に加え、ＳＮＳ情報取得部１１７および候補地選抜部１１８を含む。
【００６２】
ＳＮＳ情報取得部１１７は、前記観光客のソーシャルネットワーキングサービス（ＳＮＳ）の情報（ＳＮＳ情報）を取得する。ＳＮＳ情報取得部１１７は、例えば、前述の演算装置があげられる。ＳＮＳは、例えば、インターネット上で、人と人とのつながりを支援するサービスを意味する。具体例として、ＳＮＳは、例えば、Ｆａｃｅｂｏｏｋ（登録商標）、Ｔｗｉｔｔｅｒ（登録商標）、Ｉｎｓｔａｇｒａｍ（登録商標）、ＬＩＮＥ（登録商標）等があげられる。前記観光客のＳＮＳ情報は、例えば、前記観光客によりＳＮＳに投稿された情報、前記観光客のＳＮＳにおけるネットワーク情報（例えば、人的なつながりに関する情報）等があげられる。前記観光客のＳＮＳ情報の種類は、例えば、画像、動画、文字等があげられる。
【００６３】
候補地選抜部１１８は、前記ＳＮＳ情報から前記観光客の嗜好情報を抽出し、前記嗜好情報に基づき、前記候補地から選抜候補地を選抜する。候補地選抜部１１８は、例えば、前述の演算装置があげられる。前記観光客の嗜好情報は、例えば、前記観光客の好む場所、前記観光客の好む雰囲気、前記観光客の好む建造物、前記観光客の好む史跡等があげられる。
【００６４】
作成部１１３は、前記観光客の位置情報および前記選抜候補地に基づき、候補観光ルートを作成する。
【００６５】
これらの点を除き、実施形態３の提案装置４０は、実施形態１の提案装置１０と同様の構成を有し、その説明を援用できる。
【００６６】
つぎに、図１０に、実施形態３における提案方法のフローチャートを示す。実施形態３の提案方法は、例えば、図９の提案装置４０を用いて、つぎのように実施する。図１０に示すように、実施形態３の提案方法は、実施形態１の提案方法に加え、Ｓ７ステップ（ＳＮＳ情報取得）およびＳ８ステップ（候補地選抜）を含む。実施形態３の提案方法において、Ｓ１、Ｓ２、Ｓ７およびＳ８ステップは、この順序で実施されるが、Ｓ１およびＳ２ステップと、Ｓ７ステップとは、Ｓ８ステップに先立って実施されればよい。このため、本発明の提案方法は、Ｓ１およびＳ２ステップの実施後、Ｓ７ステップを実施してもよいし、Ｓ７ステップの実施後に、Ｓ１およびＳ２ステップを実施してもよいし、Ｓ１およびＳ２ステップと、Ｓ７ステップを併行して実施してもよい。
【００６７】
まず、Ｓ１およびＳ２ステップについて、実施形態１の提案方法のＳ１およびＳ２ステップと同様にして実施する。
【００６８】
つぎに、Ｓ７ステップでは、ＳＮＳ情報取得部１１７により、前記観光客のＳＮＳの情報を取得する。前記観光客のＳＮＳ情報は、例えば、前記ＳＮＳへのアクセス権限を取得するための前記観光客の識別情報（例えば、アカウント情報）およびパスワードを用い、ＳＮＳのアプリケーションプログラミングインタフェース（ＡＰＩ）を介して取得できる。前記観光客の識別情報およびパスワードは、例えば、Ｓ１ステップにおいて、取得手段１１１により、取得してもよいし、予め取得して、記憶装置等に記憶しておき、記憶された識別情報およびパスワードを用いてもよい。
【００６９】
Ｓ８ステップでは、候補地選抜部１１８により、前記ＳＮＳ情報から前記観光客の嗜好情報を抽出し、前記嗜好情報に基づき、前記候補地から選抜候補地を選抜する。前記嗜好情報の抽出は、例えば、機械学習、深層学習等を用いて、学習済モデルを作成することにより実施できる。前記嗜好情報の抽出は、例えば、テキスト分析を実施し、前記観光地に関連するキーワードの出現する頻度等として抽出してもよい。そして、Ｓ８ステップにおいて、候補地選抜部１１８は、例えば、前記学習済モデル等を用いて、前記候補地から選抜候補地を選抜する。前記選抜は、例えば、抽出ということもできる。
【００７０】
そして、Ｓ３ステップでは、前記候補地に代えて、前記選抜候補地を用いて、実施形態１の提案方法のＳ３ステップと同様にして実施する。また、Ｓ４ステップについて、実施形態１の提案方法のＳ４ステップと同様にして実施する。そして、実施形態３の提案方法を終了する。
【００７１】
以上説明したように、実施形態３の提案装置および提案方法では、対象の観光客のＳＮＳ情報に基づき、候補観光ルートに含める選抜候補地を抽出する。このため、実施形態３の提案装置および提案方法によれば、前記対象の観光客の嗜好により合致した候補観光ルートを提案できる。
【００７２】
なお、実施形態３の提案装置および提案方法では、前記ＳＮＳ情報から抽出した嗜好情報に基づき、選抜された選抜候補地を用いて、前記候補観光ルートを作成したが、本発明はこれに限定されず、前記候補地と、前記選抜候補地とを用いて、前記候補観光ルートを作成してもよい。この場合、前記候補観光ルートにおける観光地の一部は、例えば、前記選抜候補地であり、残部は、前記候補地である。
【００７３】
実施形態３の提案装置および提案方法では、前記候補観光ルートの作成に用いる選抜候補地の選抜において、前記ＳＮＳ情報を用いたが、本発明はこれに限定されず、例えば、前記ＳＮＳ情報を、前記候補観光ルートから前記観光客の嗜好に合致した候補観光ルートを選抜するために用いてもよい。
【００７４】
図１１に実施形態３の提案装置の他の例を示す。図１１に示すように、提案装置５０は、提案装置４０の候補地選抜部１１８に代えて、候補ルート選抜部１１９を含む。
【００７５】
作成部１１３は、前記観光客の位置情報および抽出部１１２により抽出された候補地に基づき、候補観光ルートを作成する。
【００７６】
候補ルート選抜部１１９は、前記ＳＮＳ情報から前記観光客の嗜好情報を抽出し、前記嗜好情報に基づき、前記候補観光ルートから選抜候補観光ルートを選抜する。候補ルート選抜部１１９は、例えば、前述の演算装置があげられる。
【００７７】
出力部１１４は、前記選抜候補観光ルートを前記観光客に出力する。
【００７８】
これらの点を除き、実施形態３の他の例の提案装置５０は、実施形態３の提案装置４０と同様の構成を有し、その説明を援用できる。
【００７９】
つぎに、図１２に、実施形態３における他の例の提案方法のフローチャートを示す。実施形態３の他の例の提案方法は、例えば、図１１の提案装置５０を用いて、つぎのように実施する。図１２に示すように、実施形態３の他の例の提案方法は、実施形態３の提案方法のＳ８ステップ（候補地選抜）に代えて、Ｓ９ステップ（候補ルート選抜）を含む。実施形態３の他の例の提案方法において、Ｓ１〜Ｓ３およびＳ７ステップは、この順序で実施されるが、Ｓ１〜Ｓ３ステップと、Ｓ７ステップとは、Ｓ９ステップに先立って実施されればよい。このため、本発明の提案方法は、Ｓ１〜Ｓ３ステップの実施後、Ｓ７ステップを実施してもよいし、Ｓ７ステップの実施後に、Ｓ１〜Ｓ３ステップを実施してもよいし、Ｓ１〜Ｓ３ステップと、Ｓ７ステップを併行して実施してもよい。
【００８０】
まず、Ｓ１〜Ｓ３ステップについて、実施形態１の提案方法のＳ１〜Ｓ３ステップと同様にして実施する。つぎに、Ｓ７ステップについて、実施形態３の提案方法におけるＳ７ステップと同様にして実施する。
【００８１】
Ｓ９ステップでは、候補ルート選抜部１１９により、前記ＳＮＳ情報から前記観光客の嗜好情報を抽出し、前記嗜好情報に基づき、前記候補地から選抜候補地を選抜する。前記嗜好情報の抽出は、Ｓ８ステップと同様にして実施できる。そして、Ｓ９ステップにおいて、候補ルート選抜部１１９は、例えば、前記学習済モデル等を用いて、前記候補観光ルートから選抜候補観光ルートを選抜する。前記選抜は、例えば、抽出ということもできる。
【００８２】
さらに、Ｓ４ステップについて、実施形態１の提案方法のＳ４ステップと同様にして実施する。そして、実施形態３の他の例の提案方法を終了する。
【００８３】
以上説明したように、実施形態３の他の例の提案装置および提案方法では、対象の観光客のＳＮＳ情報に基づき、候補観光ルートから選抜候補観光ルートを抽出する。このため、実施形態３の他の例の提案装置および提案方法によれば、前記対象の観光客の嗜好により合致した候補観光ルートを提案できる。
【００８４】
［実施形態４］
実施形態４は、本発明の提案装置および提案方法に関する。実施形態４の提案装置および提案方法は、例えば、実施形態１〜３の提案装置および提案方法の説明を援用できる。
【００８５】
実施形態４の提案装置６０は、図１３に示すように、実施形態１の提案装置１０に加え、話題情報取得部１３０および話題候補地選抜部１３１を含む。
【００８６】
話題情報取得部１３０は、ＳＮＳにおいて話題の情報（話題情報）を取得する。話題情報取得部１３０は、例えば、前述の演算装置があげられる。前記話題情報は、例えば、出現頻度が高い場所、地名、建造物名、または史跡、閲覧数が多い情報、ユーザによる反応が多い情報、出現頻度が高いキーワード等があげられる。
【００８７】
話題候補地選抜部１３１は、前記話題情報に基づき、前記候補地から話題の候補地を選抜する。話題候補地選抜部１３１は、例えば、前述の演算装置があげられる。
【００８８】
作成部１１３は、前記観光客の位置情報および前記話題の候補地に基づき、候補観光ルートを作成する。
【００８９】
これらの点を除き、実施形態４の提案装置６０は、実施形態１の提案装置１０と同様の構成を有し、その説明を援用できる。
【００９０】
つぎに、図１４に、実施形態４における提案方法のフローチャートを示す。実施形態４の提案方法は、例えば、図１３の提案装置６０を用いて、つぎのように実施する。図１４に示すように、実施形態４の提案方法は、実施形態１の提案方法に加え、Ｓ１０ステップ（話題情報取得）およびＳ１１ステップ（話題候補地選抜）を含む。実施形態４の提案方法において、Ｓ１、Ｓ２、Ｓ１０およびＳ１１ステップは、この順序で実施されるが、Ｓ１およびＳ２ステップと、Ｓ１０ステップとは、Ｓ１１ステップに先立って実施されればよい。このため、本発明の提案方法は、Ｓ１およびＳ２ステップの実施後、Ｓ１０ステップを実施してもよいし、Ｓ１０ステップの実施後に、Ｓ１およびＳ２ステップを実施してもよいし、Ｓ１およびＳ２ステップと、Ｓ１０ステップを併行して実施してもよい。
【００９１】
まず、Ｓ１およびＳ２ステップについて、実施形態１の提案方法のＳ１およびＳ２ステップと同様にして実施する。
【００９２】
Ｓ１０ステップは、話題情報取得部１３０により、ＳＮＳにおいて話題の情報を取得する。前記話題情報は、例えば、ＳＮＳのＡＰＩを介して取得できる。
【００９３】
Ｓ１１ステップでは、話題候補地選抜部１３１により、前記話題情報に基づき、前記候補地から話題の候補地を選抜する。前記候補地の選抜は、例えば、前記話題情報と一致または類似する候補地を選抜することにより実施できる。具体例として、前記話題情報が、出現頻度が高いキーワードであり、前記観光地の属性情報にキーワードが関連付けられている場合、Ｓ１１ステップにおいて、話題候補地選抜部１３１は、例えば、前記キーワードと前記候補地のキーワードの表記ゆれ候補とを照合し、一致するキーワードが存在する候補地を、前記話題の候補地として選抜する。
【００９４】
Ｓ３ステップでは、作成部１１３により、前記候補地に代えて、前記話題の候補地を用いて、実施形態１の提案方法のＳ３ステップと同様にして実施する。また、Ｓ４ステップについて、実施形態１の提案方法のＳ４ステップと同様にして実施する。そして、実施形態４の提案方法を終了する。
【００９５】
以上説明したように、実施形態４の提案装置および提案方法では、ＳＮＳの話題情報に基づき、候補観光ルートに含める話題の候補地を抽出する。このため、実施形態４の提案装置および提案方法によれば、話題の観光地を含む候補観光ルートを提案できる。
【００９６】
なお、実施形態４の提案装置および提案方法では、前記ＳＮＳの話題情報に基づき、選抜された話題の候補地を用いて、前記候補観光ルートを作成したが、本発明はこれに限定されず、前記候補地と、前記話題の候補地とを用いて、前記候補観光ルートを作成してもよい。この場合、前記候補観光ルートにおける観光地の一部は、例えば、前記話題の候補地であり、残部は、前記候補地である。
【００９７】
実施形態４の提案装置および提案方法では、前記候補観光ルートの作成に用いる話題の候補地の選抜において、前記ＳＮＳの話題情報を用いたが、本発明はこれに限定されず、例えば、前記ＳＮＳの話題情報を、前記候補観光ルートから話題の候補観光ルートを選抜するために用いてもよい。
【００９８】
図１５に実施形態４の提案装置の他の例を示す。図１５に示すように、提案装置７０は、提案装置６０の話題候補地選抜部１３１に代えて、話題候補ルート選抜部１３２を含む。
【００９９】
作成部１１３は、前記観光客の位置情報および抽出部１１２により抽出された候補地に基づき、候補観光ルートを作成する。
【０１００】
話題候補ルート選抜部１３２は、前記話題情報に基づき、前記候補観光ルートから話題候補観光ルートを選抜する。話題候補ルート選抜部１３２は、例えば、前述の演算装置があげられる。
【０１０１】
出力部１１４は、前記話題候補観光ルートを前記観光客に出力する。
【０１０２】
これらの点を除き、実施形態４の他の例の提案装置７０は、実施形態４の提案装置６０と同様の構成を有し、その説明を援用できる。
【０１０３】
つぎに、図１６に、実施形態４における他の例の提案方法のフローチャートを示す。実施形態４の他の例の提案方法は、例えば、図１５の提案装置７０を用いて、つぎのように実施する。図１６に示すように、実施形態４の他の例の提案方法は、実施形態４の提案方法のＳ１１ステップ（話題候補地選抜）に代えて、Ｓ１２ステップ（話題候補ルート選抜）を含む。実施形態４の他の例の提案方法において、Ｓ１〜Ｓ３およびＳ１０ステップは、この順序で実施されるが、Ｓ１〜Ｓ３ステップと、Ｓ１０ステップとは、Ｓ１２ステップに先立って実施されればよい。このため、本発明の提案方法は、Ｓ１〜Ｓ３ステップの実施後、Ｓ１０ステップを実施してもよいし、Ｓ１０ステップの実施後に、Ｓ１〜Ｓ３ステップを実施してもよいし、Ｓ１〜Ｓ３ステップと、Ｓ１０ステップを併行して実施してもよい。
【０１０４】
まず、Ｓ１〜Ｓ３ステップについて、実施形態１の提案方法のＳ１〜Ｓ３ステップと同様にして実施する。つぎに、Ｓ１０ステップについて、実施形態４の提案方法におけるＳ１０ステップと同様にして実施する。
【０１０５】
Ｓ１２ステップでは、話題候補ルート選抜部１３２により、前記話題情報に基づき、前記候補観光ルートから話題候補観光ルートを選抜する。前記話題候補観光ルートの選抜は、例えば、前記話題情報と一致または類似する候補地を含む候補観光ルートを選抜することにより実施できる。具体例として、前記話題情報が、出現頻度が高いキーワードであり、前記観光地の属性情報にキーワードが関連付けられている場合、Ｓ１２ステップにおいて、話題候補ルート選抜部１３２は、例えば、前記キーワードと、前記候補観光ルートが含む候補地のキーワードの表記ゆれ候補とを照合し、一致するキーワードが存在する場合、照合対象の候補観光ルートを話題候補観光ルートとして選抜する。
【０１０６】
そして、Ｓ４ステップでは、出力部１１４により、前記話題候補観光ルートを前記観光客に出力する。そして、そして、実施形態４の他の例の提案方法を終了する。
【０１０７】
以上説明したように、実施形態４の他の例の提案装置および提案方法では、対象のＳＮＳの話題に基づき、候補観光ルートから話題の候補観光ルートを抽出する。このため、実施形態４の他の例の提案装置および提案方法によれば、話題の観光地を含む候補観光ルートを提案できる。
【０１０８】
［実施形態５］
実施形態５は、本発明の提案装置および提案方法に関する。実施形態５の提案装置および提案方法は、例えば、実施形態１〜４の提案装置および提案方法の説明を援用できる。
【０１０９】
実施形態５の提案装置８０は、図１７に示すように、実施形態１の提案装置１０に加え、算出部１３３および訪問客属性情報記憶部１２２を含む。
【０１１０】
算出部１３３は、前記観光地を訪問した訪問客の属性情報から、前記観光地の属性情報を算出する。前記訪問客の属性情報は、例えば、前記訪問客の居住国、年齢、性別、職業、国籍、使用言語、観光客のグループ構成、趣味趣向、食事制限（例えば、ハラル、ベジタリアン等）、身体障害（例えば、車いす、杖等）、宿泊場所等の項目があげられる。前記観光客の属性情報は、例えば、１または複数の項目を含む。本実施形態において、前記訪問客の属性情報は、前記観光地の情報と関連づけられている。前記訪問客の属性情報は、例えば、前記訪問客の観光地の評価情報と関連付けられてもよい。
【０１１１】
訪問客属性情報記憶部１２２は、前記観光地を訪問した訪問客の属性情報を記憶している。本実施形態の提案装置８０は、前記訪問客の属性情報を、提案装置８０内の訪問客属性情報記憶部１２２に記憶しているが、本発明はこれに限定されない。前記訪問客の属性情報は、例えば、装置外のサーバ等に記憶されてもよい。この場合、算出部１３３は、装置外に記憶された訪問客の属性情報を取得して、前記訪問客の属性情報から、前記観光地の属性情報を算出してもよいし、前記訪問客の属性情報を出力し、前記装置外で前記観光地の属性情報を算出し、得られたで前記観光地の属性情報を取得してもよい。
【０１１２】
これらの点を除き、実施形態５の提案装置８０は、実施形態１の提案装置１０と同様の構成を有し、その説明を援用できる。
【０１１３】
つぎに、図１８に、実施形態５における提案方法のフローチャートを示す。実施形態５の提案方法は、例えば、図１７の提案装置８０を用いて、つぎのように実施する。図１８に示すように、実施形態５の提案方法は、実施形態１の提案方法に加え、Ｓ１３ステップ（算出）を含む。
【０１１４】
Ｓ１３ステップでは、算出部１３３により、前記観光地（訪問地）を訪問した訪問客（観光客）の属性情報から、前記観光地の属性情報を算出する。前記訪問客の属性情報は、例えば、図１９に示すように、前記観光地を訪問した訪問客の属性情報に、前記訪問客が訪問した観光地の情報が関連付けられている。すなわち、前記訪問客の属性情報では、例えば、前記訪問客毎に、関連付けられた情報が分類（例えば、項目による多層化）されている。そこで、Ｓ１３ステップにおいて、算出部１３３は、例えば、前記訪問客が訪問した観光地毎に、前記観光地を訪問した訪問客の属性情報を分ける。一人の訪問客が複数の観光地を訪問している場合、算出部１３３は、例えば、訪問した全ての観光地に前記訪問客の属性情報を追加する。そして、算出部１３３は、例えば、訪問地毎に、分離後の訪問客の属性情報に基づき、前記訪問客の属性情報の各項目の集計を行なう。具体例として、算出部１３３は、例えば、前記訪問客の属性情報を用いて、観光地Ａについて、以下のようにして、前記観光地の属性情報を算出する。まず、算出部１３３は、観光地Ａに訪問した訪問客について、前記訪問客の属性情報を抽出する。観光地Ａは、例えば、図１９における経度、緯度等の観光地毎の基準位置により特定されることが好ましい。前記観光地の基準位置は、例えば、前記観光地の位置を規定する情報であり、具体例として、経度、緯度等の座標、観光地の一般名称、正式名称、略称、または所在地（例えば、地番、住居表示等）、郵便番号、都道府県名、市区町村名、観光エリア名（地域名）等があげられる。つぎに、算出部１３３は、抽出された訪問客の属性情報において、居住国毎（例えば、アメリカ、中国、タイ等）の割合を算出する。さらに、算出部１３３は、観光地Ａを訪問した各居住国の訪問客毎に、各年齢層の割合を算出する。そして、算出部１３３は、前記訪問客の属性情報の項目の一部または全部の項目について、同様に割合を算出する。このようにして、Ｓ１３ステップにおいて、算出部１３３は、例えば、前述の図４の観光地の属性情報を算出できる。なお、算出部１３３が、各項目の割合を算出する場合を例にあげて説明したが、算出部１３３は、例えば、各項目について、該当する訪問客の数をカウントしてもよい。また、算出部１３３は、例えば、前記算出において、前記訪問客の観光地の評価情報、政府機関等により公開されている外部のデータベース等を参照し、重み付けを行なってもよい。前記重み付けを行なう場合、算出部１３３は、例えば、前記訪問客の観光地の評価が高いと、前記観光地の属性情報において、前記評価を行った訪問客の属性に対応する項目の割合を増加させ、前記訪問客の観光地の評価が低いと、前記観光地の属性情報において、前記評価を行った訪問客の属性に対応する項目の割合を低下させる。具体例として、図１９に示す観光客Ａの寺Ｘに対する評価が高いと仮定した場合、算出部１３３は、例えば、観光客Ａの居住国の項目における「アメリカ」、年齢における「５０代」の割合を通常の集計時に算出される割合より高い値に補正する。
【０１１５】
そして、Ｓ１〜Ｓ４ステップについて、実施形態１の提案方法におけるＳ１〜Ｓ４ステップと同様にして実施する。
【０１１６】
以上説明したように、実施形態５の提案装置および提案方法では、前記観光地を訪問した訪問客の属性情報から、前記観光地の属性情報を算出する。そして、実施形態５の提案装置および提案方法では、前記観光地の属性情報を用いて、前記候補観光ルートを提案する。このため、実施形態５の提案装置および提案方法によれば、例えば、既存の観光地を訪問した訪問客の属性情報を活用し、対象の観光客に適した候補観光ルートを提案できる。
【０１１７】
［実施形態６］
本実施形態のプログラムは、前述の提案方法を、コンピュータ上で実行可能なプログラムである。または、本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。本実施形態のプログラムは、実施形態１〜５の提案方法の説明を援用できる。
【０１１８】
［実施形態７］
実施形態７は、本発明の提案サーバに関する。
【０１１９】
図２０に、本発明の提案装置を用いた提案システムの一例の構成を示す。図２０に示すように、本実施形態の提案システムは、サーバ３１と、観光客の端末３２ａ、３２ｂとを備える。サーバ３１と、観光客の端末３２ａ、３２ｂとは、通信回線網３３を介して接続されている。図２０において、サーバ３１と接続されている端末３２ａ、３２ｂの数は、２つであるが、これに限定されず、１つでもよいし、２つ以上でもよい。
【０１２０】
本実施形態の提案システムでは、サーバ３１側に、取得部、抽出部、作成部および出力部が格納される。そして、本実施形態の提案システムでは、例えば、端末３２ａにより入力された前記観光客の位置情報および前記観光客の属性情報を、サーバ３１に送信し、サーバ３１側で、前記観光客の位置情報および前記観光客の属性情報から、候補観光ルートを作成する。そして、前記候補観光ルートを、端末３２ａに送信し、端末３２ａにおいて、前記候補観光ルートが表示される。
【０１２１】
本実施形態の提案システムによれば、前記観光客の属性情報と観光地の属性情報とを照合し、前記観光客に適した候補地を抽出する。前記観光地の属性情報は、前述のように、前記観光地の情報に、前記観光地を訪問した訪問客の情報を関連付けたものであるため、対象の観光客と一部の属性情報が一致または類似する情報を有する訪問客の情報も候補地の抽出に利用できる。このため、本実施形態の提案システムによれば、対象の観光客の属性情報と、データベースに登録された観光客の属性情報とを比較する場合に比べて、より多くの候補地を抽出できるため、観光ルートを提案できる。本実施形態の提案システムによれば、サーバを任意の場所に設置して、オンラインにより訪問地情報を取得し、前記候補観光ルートを提案できる。そのため、装置の設置に場所を取ることがなく、メンテナンスも容易である。また、ガイドの端末およびサーバ管理者の端末がいずれの場所に存在する場合であっても、一箇所での集中管理や遠隔操作が可能となる。
【０１２２】
以上、実施形態を参照して本発明を説明したが、本発明は、上記実施形態に限定されるものではない。本発明の構成や詳細には、本発明のスコープ内で当業者が理解しうる様々な変更をできる。
【０１２３】
＜付記＞
上記の実施形態および実施例の一部または全部は、以下の付記のように記載されうるが、以下には限られない。
（付記１）
観光客の位置情報および観光客の属性情報を取得する取得部と、
前記観光客の属性情報と観光地の属性情報とを照合し、前記観光客に適した候補地を抽出する抽出部と、
前記観光客の位置情報および前記候補地に基づき、候補観光ルートを作成する作成部と、
前記候補観光ルートを前記観光客に出力する出力部とを含み、
前記観光地の属性情報は、観光地の情報に、前記観光地を訪問した訪問客の属性情報が関連付けられた情報であることを特徴とする、観光ルート提案装置。
（付記２）
前記観光地の属性情報は、前記観光地と関連するキーワードと関連付けられ、
前記取得部により、前記観光客に入力されたキーワード情報が取得され、
前記キーワード情報と前記キーワードとを照合し、前記候補地から前記キーワード情報に適合する候補地を抽出するキーワード候補地抽出部を含み、
前記作成部により、前記観光客の位置情報および前記キーワード情報に適合する候補地に基づき、候補観光ルートが作成される、付記１記載の観光ルート提案装置。
（付記３）
前記観光地の属性情報は、前記観光地と関連するキーワードと関連付けられ、
前記取得部により、前記観光客に入力されたキーワード情報が取得され、
前記キーワード情報と、前記候補観光ルートに含まれる候補地のキーワードとを照合し、前記候補観光ルートから前記キーワード情報に適合する抽出候補観光ルートを抽出するキーワードルート抽出部を含み、
前記出力部により、前記抽出候補観光ルートが前記観光客に出力される、付記１記載の観光ルート提案装置。
（付記４）
前記観光客のソーシャルネットワーキングサービス（ＳＮＳ）の情報を取得するＳＮＳ情報取得部と、
前記ＳＮＳ情報から前記観光客の嗜好情報を抽出し、前記嗜好情報に基づき、前記候補地から選抜候補地を選抜する候補地選抜部とを含み、
前記作成部により、前記観光客の位置情報および前記選抜候補地に基づき、候補観光ルートが作成される、付記１から３のいずれかに記載の観光ルート提案装置。
（付記５）
前記観光客のソーシャルネットワーキングサービス（ＳＮＳ）の情報を取得するＳＮＳ情報取得部と、
前記ＳＮＳ情報から前記観光客の嗜好情報を抽出し、前記嗜好情報に基づき、前記候補観光ルートから選抜候補観光ルートを選抜する候補ルート選抜部とを含み、
前記出力部により、前記選抜候補観光ルートが前記観光客に出力される、付記１から３のいずれかに記載の観光ルート提案装置。
（付記６）
ソーシャルネットワーキングサービス（ＳＮＳ）において話題の情報を取得する話題情報取得部と、
前記話題情報に基づき、前記候補地から話題の候補地を選抜する話題候補地選抜部とを含み、
前記作成部により、前記観光客の位置情報および前記話題の候補地に基づき、候補観光ルートが作成される、付記１から５のいずれかに記載の観光ルート提案装置。
（付記７）
ソーシャルネットワーキングサービス（ＳＮＳ）において話題の情報を取得する話題情報取得部と、
前記話題情報に基づき、前記候補観光ルートから話題候補観光ルートを選抜する話題候補ルート選抜部とを含み、
前記出力部により、前記選抜候補観光ルートが前記観光客に出力される、付記１から５のいずれかに記載の観光ルート提案装置。
（付記８）
前記観光地の属性情報は、前記観光地を訪問した訪問客の属性情報が集計された情報である、付記１から７のいずれかに記載の観光ルート提案装置。
（付記９）
前記観光地を訪問した訪問客の属性情報から、前記観光地の属性情報を算出する算出部を含む、付記１から８のいずれかに記載の観光ルート提案装置。
（付記１０）
前記出力部により、複数の候補観光ルートが前記観光客に出力される、付記１から９のいずれかに記載の観光ルート提案装置。
（付記１１）
前記取得部により、前記観光客の希望所要時間が取得され、
前記作成部により、前記観光客の位置情報、前記候補地、および前記希望所要時間に基づき、前記候補観光ルートが作成される、付記１から１０のいずれかに記載の観光ルート提案装置。
（付記１２）
前記候補地の天気を取得する天気取得部を含み、
前記作成部により、前記観光客の位置情報、前記候補地、および前記天気に基づき、前記候補観光ルートが作成される、付記１から１１のいずれかに記載の観光ルート提案装置。
（付記１３）
前記観光客の位置情報は、前記観光客の現在位置、前記観光客の観光開始希望位置、前記観光客の観光終了希望位置、訪問希望地の位置、およびターミナルの位置情報からなる群から選択された少なくとも１つの位置である、付記１から１２のいずれかに記載の観光ルート提案装置。
（付記１４）
前記観光ルート提案装置は、サーバである、付記１から１３のいずれかに記載の観光ルート提案装置。
（付記１５）
観光客の位置情報および観光客の属性情報を取得する取得工程と、
前記観光客の属性情報と観光地の属性情報とを照合し、前記観光客に適した候補地を抽出する抽出工程と、
前記観光客の位置情報および前記候補地に基づき、候補観光ルートを作成する作成工程と、
前記候補観光ルートを前記観光客に出力する出力工程とを含み、
前記観光地の属性情報は、観光地の情報に、前記観光地を訪問した訪問客の属性情報が関連付けられた情報であることを特徴とする、観光ルート提案方法。
（付記１６）
前記観光地の属性情報は、前記観光地と関連するキーワードと関連付けられ、
前記取得工程では、前記観光客に入力されたキーワード情報を取得し、
前記キーワード情報と前記キーワードとを照合し、前記候補地から前記キーワード情報に適合する候補地を抽出するキーワード候補地抽出工程を含み、
前記作成工程では、前記観光客の位置情報および前記キーワード情報に適合する候補地に基づき、候補観光ルートを作成する、付記１５記載の観光ルート提案方法。
（付記１７）
前記観光地の属性情報は、前記観光地と関連するキーワードと関連付けられ、
前記取得工程では、前記観光客に入力されたキーワード情報が取得され、
前記キーワード情報と、前記候補観光ルートに含まれる候補地のキーワードとを照合し、前記候補観光ルートから前記キーワード情報に適合する抽出候補観光ルートを抽出するキーワードルート抽出工程を含み、
前記出力工程では、前記抽出候補観光ルートを前記観光客に出力する、付記１５記載の観光ルート提案方法。
（付記１８）
前記観光客のソーシャルネットワーキングサービス（ＳＮＳ）の情報を取得するＳＮＳ情報取得工程と、
前記ＳＮＳ情報から前記観光客の嗜好情報を抽出し、前記嗜好情報に基づき、前記候補地から選抜候補地を選抜する候補地選抜工程とを含み、
前記作成工程では、前記観光客の位置情報および前記選抜候補地に基づき、候補観光ルートを作成する、付記１５から１７のいずれかに記載の観光ルート提案方法。
（付記１９）
前記観光客のソーシャルネットワーキングサービス（ＳＮＳ）の情報を取得するＳＮＳ情報取得工程と、
前記ＳＮＳ情報から前記観光客の嗜好情報を抽出し、前記嗜好情報に基づき、前記候補観光ルートから選抜候補観光ルートを選抜する候補ルート選抜工程とを含み、
前記出力工程では、前記選抜候補観光ルートを前記観光客に出力する、付記１５から１７のいずれかに記載の観光ルート提案方法。
（付記２０）
ソーシャルネットワーキングサービス（ＳＮＳ）において話題の情報を取得する話題情報取得工程と、
前記話題情報に基づき、前記候補地から話題の候補地を選抜する話題候補地選抜工程とを含み、
前記作成工程では、前記観光客の位置情報および前記話題の候補地に基づき、候補観光ルートを作成する、付記１５から１９のいずれかに記載の観光ルート提案方法。
（付記２１）
ソーシャルネットワーキングサービス（ＳＮＳ）において話題の情報を取得する話題情報取得工程と、
前記話題情報に基づき、前記候補観光ルートから話題候補観光ルートを選抜する話題候補ルート選抜工程とを含み、
前記出力工程では、前記選抜候補観光ルートを前記観光客に出力する、付記１５から１９のいずれかに記載の観光ルート提案方法。
（付記２２）
前記観光地の属性情報は、前記観光地を訪問した訪問客の属性情報が集計された情報である、付記１５から２１のいずれかに記載の観光ルート提案方法。
（付記２３）
前記観光地を訪問した訪問客の属性情報から、前記観光地の属性情報を算出する算出工程を含む、付記１５から２２のいずれかに記載の観光ルート提案方法。
（付記２４）
前記出力工程では、複数の候補観光ルートを前記観光客に出力する、付記１５から２３のいずれかに記載の観光ルート提案方法。
（付記２５）
前記取得工程では、前記観光客の希望所要時間を取得し、
前記作成工程では、前記観光客の位置情報、前記候補地、および前記希望所要時間に基づき、前記候補観光ルートを作成する、付記１５から２４のいずれかに記載の観光ルート提案方法。
（付記２６）
前記候補地の天気を取得する天気取得工程を含み、
前記作成工程では、前記観光客の位置情報、前記候補地、および前記天気に基づき、前記候補観光ルートが作成される、付記１５から２５のいずれかに記載の観光ルート提案方法。
（付記２７）
前記観光客の位置情報は、前記観光客の現在位置、前記観光客の観光開始希望位置、前記観光客の観光終了希望位置、訪問希望地の位置、およびターミナルの位置情報からなる群から選択された少なくとも１つの位置である、付記１５から２６のいずれかに記載の観光ルート提案方法。
（付記２８）
観光客の位置情報および観光客の属性情報を取得する取得処理と、
前記観光客の属性情報と観光地の属性情報とを照合し、前記観光客に適した候補地を抽出する抽出処理と、
前記観光客の位置情報および前記候補地に基づき、候補観光ルートを作成する作成処理と、
前記候補観光ルートを前記観光客に出力する出力処理とを、コンピュータ上で実行可能であり、
前記観光地の属性情報は、観光地の情報に、前記観光地を訪問した訪問客の属性情報が関連付けられた情報であることを特徴とする、プログラム。
（付記２９）
付記２８記載のプログラムを記録していることを特徴とする、コンピュータ読み取り可能な記録媒体。
【産業上の利用可能性】
【０１２４】
以上説明したように、本発明によれば、前記観光客の属性情報と観光地の属性情報とを照合し、前記観光客に適した候補地を抽出する。前記観光地の属性情報は、前述のように、前記観光地の情報に、前記観光地を訪問した訪問客の情報を関連付けたものであるため、対象の観光客と一部の属性情報が一致または類似する情報を有する訪問客の情報も候補地の抽出に利用できる。このため、本発明によれば、対象の観光客の属性情報と、データベースに登録された観光客の属性情報とを比較する場合に比べて、より多くの候補地を抽出できるため、観光ルートを提案できる。以上のことから、本発明は、観光分野等において極めて有用である。
【符号の説明】
【０１２５】
１０、２０、３０、４０、５０、６０、７０、８０  提案装置
１１                ＣＰＵ
１１１              取得部
１１２              抽出部
１１３              作成部
１１４              出力部
１１５              候補抽出部
１１６              キーワードルート抽出部
１１７              ＳＮＳ情報取得部
１１８              候補地選抜部
１１９              候補ルート選抜部
１２                記憶部
１２１              観光地属性情報記憶部
１２２              訪問客属性情報記憶部
１３０              話題情報取得部
１３１              話題候補地選抜部
１３２              話題候補ルート選抜部
１３３              算出部
３１                サーバ
３２ａ、３２ｂ      観光客の端末
３３                通信回線網
【図１】
2019175378.tif 000003
【図２】
2019175378.tif 000004
【図３】
2019175378.tif 000005
【図４】
2019175378.tif 000006
【図５】
2019175378.tif 000007
【図６】
2019175378.tif 000008
【図７】
2019175378.tif 000009
【図８】
2019175378.tif 000010
【図９】
2019175378.tif 000011
【図１０】
2019175378.tif 000012
【図１１】
2019175378.tif 000013
【図１２】
2019175378.tif 000014
【図１３】
2019175378.tif 000015
【図１４】
2019175378.tif 000016
【図１５】
2019175378.tif 000017
【図１６】
2019175378.tif 000018
【図１７】
2019175378.tif 000019
【図１８】
2019175378.tif 000020
【図１９】
2019175378.tif 000021
【図２０】
2019175378.tif 000022